(57)【要約】【課題】ポンプを使用することなく低浴比を実現し、ソフトな処理ができるドラム回転式繊維製品処理装置を提供する。【解決手段】外胴２内で水平軸を中心に回転可能に設けた内胴としてのドラム１に、被染物などの被処理物を装填して回転駆動することにより染色その他の加工処理をする繊維製品処理装置において、ドラム１後方端の閉塞部３で外胴２との間に複数の液汲上部５を設け、これら液汲上部５とそれぞれ連通孔７を介して連通し、ドラム１の内壁に沿ってドラム全長に延伸した複数の土手状突起部６を設け、これら土手状突起部６の先端に多数の液噴出口８を設けて成る液噴出機構を備えたドラム回転式繊維製品処理装置。【選択図】図１
2004060107.tif 000002
【特許請求の範囲】
【請求項１】
外胴内で水平軸を中心に回転可能に設けた内胴としてのドラムに、被染物などの被処理物を装填して回転駆動することにより染色その他の加工処理をする繊維製品処理装置において、
ドラム後方端の閉塞部で外胴との間に複数の液汲上部を設け、これら液汲上部とそれぞれ連通孔を介して連通し、ドラムの内壁に沿ってドラム全長に延伸した複数の土手状突起部を設け、これら土手状突起部の先端に多数の液噴出口を設けて成る液噴出機構を備えたことを特徴とするドラム回転式繊維製品処理装置。
【請求項２】
複数の液汲上部の内、半数をドラムの回転方向に合わせて液汲上口が開口し、残りを逆方向に設けたことを特徴とする請求項１記載のドラム回転式繊維製品処理装置。
【請求項３】
土手状突起部の突起先端に設けた液噴出口は、突起先端の両側に均等に多数設けた請求項１記載のドラム回転式繊維製品処理装置。
【請求項４】
複数の液汲上部は、それぞれドラムと外槽との間で汲上口とこの汲上口に続く湾曲導入部とから成る請求項１記載のドラム回転式繊維製品処理装置。
【発明の詳細な説明】
【０００１】
【発明の属する技術分野】
本発明は、糸、布その他の織物やポリエステル及びその混紡、交織品等の合成繊維、合成皮革、綿、レーヨン、麻等のセルローズ系繊維及びこれらを含む混紡品等の被処理物をそのまま又は網袋に収納した状態でドラム内に装填し、このドラムを水平軸で回転させることにより、被処理物に染液を均等且つ十分に浸透させ、精錬、染色、リラックス加工処理をするドラム染色機等のドラム回転式繊維製品処理装置に関する。
【０００２】
【従来の技術】
従来からドラム染色機等のドラム式繊維製品処理装置としては、例えば、
【０００３】
▲１▼　液槽内で回転ドラムを複数に仕切り回転により仕切板に被染物をたたきつけながら回遊させる構成（特開平５−３２１１２８号公報）、
【０００４】
▲２▼　また固定された外胴と、周方向に回転する内胴の二重構造よりなるドラム式染色機で、内胴は外周をメッシュ構造とし染液中に浸漬され、胴内を区画して複数の区画室とし、該内胴自体を揺動し、かつ定角回転させる駆動源と連結したもの（特開平１１−１３１３５９号公報）、
【０００５】
▲３▼　さらに横円筒状の水槽と、水槽内に内蔵された第１の回転手段、即ち外周に多数のパンチング孔を有する回転ドラムと、これを回転させるシャフト及び駆動手段とを設けられ、外周の所定個所に設けた出入口から蒸気や冷却水などの加熱冷却媒体を出し入れさせる熱交換器を備えたもの（特開２００１−５５６６２号公報）などがある。
【０００６】
▲４▼　ドラム内に染液等の処理液がない場合、ポンプで処理液を供給することが考えられる。
【０００７】
【発明が解決しようとする課題】
しかし、上記の従来例▲１▼▲２▼▲３▼は、全て被処理物を装填して回転する内胴を外胴の染液中に設けて液中処理をするものである。
【０００８】
また、▲１▼の構成では被処理物が収縮した筒状の編地に対して仕切板にたたきつけられることによって糸内部まで染液を浸透させる効果は認められるが、ソフトに処理されることが好ましい被処理物には不向きである。
▲２▼の構成では、外胴の染液を内胴のメッシュ構造を透して得るように内胴は外胴の液中に浸漬され且つ胴内を区画して複数の区画室としているので、低浴比処理には向かない。
【０００９】
さらに▲３▼の構成では外槽の上部から蒸気や冷却水を供給する熱交換器の存在に特色があるが、水槽内の処理として液中処理をするものである。
【００１０】
また▲４▼のように、ポンプで処理液を供給する場合、ポンプの設置に要するコスト面及びポンプに付随する循環配管の汚れなどの問題点がある。
【００１１】
本発明の目的は、上記のような従来例の難点を解消し、外胴に供給される液面が内部ドラムの下端より低い状態でも液汲上部により外槽の底部から処理液を汲み上げて、ドラムの上方から噴出して被処理物へ均一に液を浸透させることができ、ポンプを使用することなく低浴比を実現し、被処理物を槽内へたたきつけることなく、ソフトな処理ができるドラム回転式繊維製品処理装置を提供するものである。
【００１２】
【課題を解決するための手段】
上記目的を達成するため、第１発明では、外胴内で水平軸を中心に回転可能に設けた内胴としてのドラムに、被染物などの被処理物を装填して回転駆動することにより染色その他の加工処理をする繊維製品処理装置において、ドラム後方端の閉塞部で外胴との間に複数の液汲上部を設け、これら液汲上部とそれぞれ連通孔を介して連通し、ドラムの内壁に沿ってドラム全長に延伸した複数の土手状突起部を設け、これら土手状突起部の先端に多数の液噴出口を設けて成る液噴出機構を備えたドラム回転式繊維製品処理装置とした。
【００１３】
第２発明では複数の液汲上部の内、半数をドラムの回転方向に合わせて液汲上口が開口し、残りを逆方向に設けたドラム回転式繊維製品処理装置とした。
【００１４】
第３発明では土手状突起部の突起先端に設けた液噴出口は、突起先端の両側に均等に多数設けた。
【００１５】
第４発明では複数の液汲上部は、それぞれドラムと外槽との間で汲上口とこの汲上口に続く湾曲導入部とから成っている。
【００１６】
（作用）
第１発明では、ドラム後方端の閉塞部で外胴との間に複数の液汲上部を設けたので、外胴に供給される染液等の処理液面がドラム下端より低い状態でも、液汲上部によりドラム内部へ処理液を供給して処理ができる。内胴のドラム内に当初から処理液がない場合でも液汲上部から液を供給することにより処理が可能である。
【００１７】
液汲上部で汲み上げられた処理液は、連通孔から土手状突起部へ導入され、ドラムの内壁に沿って延びた土手状突起部の先端の液噴出口から噴出されるので、ドラム全長に亘り均等に処理液が噴出され、被処理物へ直接供給することができる。
【００１８】
ドラム内では被処理物が、前記土手状突起部により掻き上げられ、適宜に位置を変えたり、持ち上げられたりして処理液との接触を十分に受けられるようになっている。
【００１９】
上記のように液汲上部、土手状突起部及び液噴出口から成る液噴出機構を備えることにより、ポンプを使用することなく低浴比による処理が確実に実行できるようになった。
【００２０】
第２発明では、土手状突起部の突起先端に設けた液噴出口は、突起先端の両側に均等に多数設けているので、ドラムの回転位置により一方側の液噴出口からだけ処理液を噴出し、または両側の液噴出口から噴出して被処理物に均一な処理液の浸透を図っている。
【００２１】
第３発明では、土手状突起部の突起先端に設けた液噴出口は、突起先端の両側に均等に多数設けたので、ドラムの回転方向がいずれの方向であっても噴出が均等にできるようになっている。
【００２２】
第４発明では、複数の液汲上部はそれぞれドラムと外槽との間で汲上口とこの汲上口に続く湾曲導入部をとからなるので、汲み上げられた処理液は一旦湾曲導入部へ入り、ドラムの回転に応じて保持され、土手状突起部との連通孔から土手状突起部の内部へ供給でき、液噴出口からの噴出ができるようにした。
【００２３】
【発明の実施の形態】
本発明は、内胴としてのドラムと外胴との間に液汲上部を設けてドラム内に直接処理液を供給するようにしたので、外胴内の液面がドラム下端より下であっても十分に処理液をドラムへ供給することができる。従って、ポンプを使用せずに浴比を下げることが可能となった。
【００２４】
液汲上部、土手状突起部及び液噴出口からなる液噴出機構を備えることにより、外胴からの処理液の汲み上げとドラム内壁の土手状突起部への供給、そして液噴出口からドラム内への噴出を行うと共に土手状突起部による被処理物の掻き上げと変動により均一な処理液の浸透ができるようになった。
【００２５】
【実施例】
図示した実施例を説明する。１は内胴としてのドラムで、外胴２に内装され、水平軸を中心に回転可能に設けられている。３はドラムの後方端縁部に設けた閉塞部で、ドラムの後方を閉塞すると共に回転軸の軸受部４を設けている。
【００２６】
５は液汲上部で、土手状突起部６との連通孔７を有している。土手状突起部６はドラムの内壁に沿ってドラム全長に延伸している。この土手状突起部６の突起の先端に多数の液噴出口８を一定ピッチで多数設けた。
【００２７】
なお図１において、符号９は蛇管ヒーターで、ドラム１の外周と外胴２との間に設けて処理液の熱交換をするようにしている。１０はドラムに形成したパンチングを示す。
【００２８】
図１では被処理物を示していないが、液汲上部５からの処理液が連通孔７から土手状突起部６へ導入され、ドラム内へ噴出されている状態を示している。水平軸を取り付けた軸受部４によりドラムは回転駆動される。
【００２９】
図２は液汲上部５を背面から見た図であり、三角形状で汲上口とこれに続き底面を外胴の湾曲に沿って湾曲した湾曲導入部とから成り、処理液をドラム内へ直接導入するようにしている。下端の水平線Ｌは外胴内の処理液面を示す。図３の下方に示したＨは処理液面の多い場合、Ｌは少ない場合の液面を示している。
【００３０】
図４はドラムと液汲上部との関係を示す斜視図である。
【００３１】
図２において、液汲上部５の取り付け位置をドラムの円周に対して不等分としたのは、汲上口の開口方向が異なり、ドラムの正逆回転時にできるだけ処理液の汲み上げが円滑にできるようにしたものである。
【００３２】
【発明の効果】
本発明は、外胴に供給される液面が内部ドラムの下端より低い状態でも液汲上部により外槽の底部から処理液を汲み上げて、ドラムの上方から噴出して被処理物へ均一に液を浸透させることができる。またポンプを使用することなく低浴比を実現し、被処理物を槽内へたたきつけることなく、ソフトな処理ができるドラム回転式繊維製品処理装置を提供することができた。
【図面の簡単な説明】
【図１】本発明装置の一部断面説明図。
【図２】ドラムに取り付けた液噴出機構の説明図。
【図３】外胴に供給された処理液面と液汲上部との関係図。
【図４】ドラムを後方より見た一部省略斜視図。
【符号の説明】
１：　ドラム
２：　外胴
３：　閉塞部
４：　軸受部
５：　液汲上部
６：　土手状突起部
７：　連通孔
８　：　液噴出口
【図１】
2004060107.tif 000003
【図２】
2004060107.tif 000004
【図３】
2004060107.tif 000005
【図４】
2004060107.tif 000006